【手続補正書】
【提出日】平成17年10月3日(2005.10.3)
【手続補正１】
【補正対象書類名】特許請求の範囲
【補正対象項目名】全文
【補正方法】変更
【補正の内容】
【特許請求の範囲】
【請求項１】
ａ）粘度が４０℃で測定したとき３ｃＳｔより大きく、分岐指数が５より小さく、アルキル側鎖の平均長さが２炭素原子より小さい、少なくとも１種の高パラフィン・フィッシャー−トロプシュ由来潤滑油基礎原料、及び
ｂ）アルキル芳香族化合物、アルキルシクロパラフィン、又はこれらの混合物を含み、粘度が４０℃で測定したとき２ｃＳｔより大きい、少なくとも１種の潤滑油基礎原料を含み、
成分ｂ）を、約１重量％から約５０重量％までの量で含み、粘度が４０℃で測定したとき３ｃＳｔより大きい、潤滑油。
【請求項２】
ｂ）の前記基礎原料がフィッシャー−トロプシュ法により得られる、請求項１に記載の潤滑油。
【請求項３】
前記アルキル芳香族化合物がアルキルベンゼンである、請求項２に記載の潤滑油。
【請求項４】
前記アルキルシクロパラフィンが、アルキルシクロヘキサン、アルキルシクロペンタン、及びこれらの混合物からなる群より選択される、請求項２に記載の潤滑油。
【請求項５】
ｂ）の前記基礎原料を約１重量％から約２５重量％までの量で含む、請求項２に記載の潤滑油。
【請求項６】
ａ）１種又は複数の潤滑油基油添加剤、及び
ｂ）潤滑油の濁度を２ＮＴＵ未満に下げるのに有効な量の合成エステル共溶剤
を更に含む、請求項２に記載の潤滑油。
【請求項７】
ａ）ｉ）粘度が４０℃で測定したとき３ｃＳｔより大きく、分岐指数が５より小さく、アルキル側鎖の平均長さが２炭素原子より小さい、少なくとも１種の高パラフィン・フィッシャー−トロプシュ由来潤滑油基礎原料、及び
ｉｉ）アルキル芳香族化合物、アルキルシクロパラフィン、又はこれらの混合物からなり、粘度が４０℃で測定したとき２ｃＳｔより大きく、ブレンド中に約１重量％から約５０重量％までの量で存在する、少なくとも１種の潤滑油基礎原料
をブレンドするステップ、及び
ｂ）ブレンドされた潤滑油基油を分けるステップ
を含む、ブレンド潤滑油基油を調製するための方法。
【請求項８】
前記（ｉｉ）の基礎原料がフィッシャー−トロプシュ法により得られる、請求項７に記載の方法。
【請求項９】
前記（ｉｉ）の基礎原料が、本質的に１００重量％、アルキル芳香族化合物、アルキルシクロパラフィン又はこれらの混合物である、請求項８に記載の方法。
【請求項１０】
ｉｉｉ）界面活性剤、分散剤、抗酸化剤、摩耗防止剤、流動点降下剤、粘度指数向上剤、摩擦調整剤、抗乳化剤、消泡剤、腐蝕防止剤、湿潤剤、高密度化剤、脱水防止剤、防錆剤からなる群より選択される１種又は複数の潤滑油基油添加剤、及び
ｉｖ）潤滑油の濁度を２ＮＴＵ未満に下げるのに有効な量の合成エステル共溶剤
をブレンドするステップ
を更に含む、請求項８に記載の方法。
【請求項１１】
前記（ｉｉ）の基礎原料が、フィッシャー−トロプシュ法による芳香族化合物を、オレフィン及びアルコールを含む軽質フィッシャー−トロプシュ供給原料でアルキル化して、沸点が潤滑油基油範囲のアルキル芳香族化合物を生成することにより得られる、請求項８に記載の方法。
【請求項１２】
ａ）芳香族化合物を、オレフィン及びアルコールを含む軽質供給原料でアルキル化して、沸点が潤滑油基油範囲のアルキル芳香族化合物を生成するステップ、
ｂ）フィッシャー−トロプシュ由来ワックス状流を水素化異性化条件に供し、高パラフィン潤滑油基礎原料を生成させるステップ、及び
ｃ）前記アルキル芳香族化合物及び前記高パラフィン潤滑油基礎原料をブレンドして、ブレンド潤滑油基油を生成するステップ
を含む、ブレンド潤滑油基油を調製するための方法。
【請求項１３】
前記アルキル芳香族化合物が、前記ブレンド潤滑油基油に、約１重量％から約２５重量％までの量で存在する、請求項１２に記載の方法。
【請求項１４】
沸点が潤滑油基油範囲の前記アルキル芳香族化合物の少なくとも一部分を、接触水素化条件の下で水素化して、沸点が潤滑油基油範囲のアルキルシクロパラフィンを生成するステップ、及び、前記アルキルシクロパラフィン及び前記アルキル芳香族化合物を前記高パラフィン潤滑油基礎原料とブレンドしてブレンド潤滑油基油を生成するステップを更に含む、請求項１２に記載の方法。
【請求項１５】
前記アルキル芳香族化合物がアルキルベンゼンである、請求項１２に記載の方法。
【請求項１６】
前記アルキルベンゼンの少なくとも一部分を水素化して、アルキルシクロヘキサンを得る、請求項１５に記載の方法。
【請求項１７】
改質可能なフィッシャー−トロプシュ生成物を、接触改質条件の下で改質してアルキル化のための追加の芳香族化合物を生成するステップを更に含む、請求項１２に記載の方法。
【請求項１８】
前記改質可能なフィッシャー−トロプシュ生成物を、改質の前に、触媒的水素化精製条件の下で水素化精製するステップを更に含む、請求項１７に記載の方法。
【請求項１９】
前記芳香族化合物及び前記軽質供給原料がフィッシャー−トロプシュ法により誘導される、請求項１２に記載の方法。
【請求項２０】
前記オレフィンが、熱分解法により生成するオレフィン、フィッシャー−トロプシュ法により誘導される供給原料を用いる熱分解法により生成するオレフィン、及びこれらの混合物からなる群より選択される、請求項１９に記載の方法。
【請求項２１】
前記熱分解法が、フィッシャー−トロプシュ法により誘導される重質フィッシャー−トロプシュ供給原料を用いる、請求項２０に記載の方法。
【請求項２２】
ａ）合成ガスに対してフィッシャー−トロプシュ合成を実施して生成物流を得るステップ、
ｂ）前記生成物流を分留し、Ｃ２０＋留分と、芳香族留分と、オレフィン及びアルコールを含む軽質供給原料とを分けるステップ、
ｃ）前記Ｃ２０＋留分を水素化異性化条件に供して、高パラフィン潤滑油基礎原料を生成させるステップ、
ｄ）前記芳香族化合物を前記軽質供給原料でアルキル化して、沸点が潤滑油基油範囲のアルキル芳香族化合物を生成するステップ、
ｅ）任意選択的に、ステップ（ｄ）による前記アルキル芳香族化合物の一部分を、接触水素化条件の下で水素化して、沸点が潤滑油基油範囲のアルキルシクロパラフィンを生成するステップ、
ｆ）前記アルキル芳香族化合物、任意選択的なアルキルシクロパラフィン、及び前記高パラフィン潤滑油基礎原料をブレンドしてブレンド潤滑油基油を生成するステップ、及び
ｇ）前記ブレンド潤滑油基油を分けるステップ
を含む、フィッシャー−トロプシュ設備による潤滑油基油の収量を増すための方法。
【請求項２３】
改質可能な軽質留分を分留し分離するステップ、前記改質可能な軽質留分を接触改質条件の下で改質してアルキル化のための追加の芳香族化合物を生成させるステップを更に含む、請求項２２に記載の方法。
【請求項２４】
前記Ｃ２０＋留分の少なくとも一部分を、水素化異性化する前に、触媒的水素化精製条件の下で水素化精製するステップを更に含む、請求項２２に記載の方法。
【請求項２５】
ａ）鎖成長確率が低乃至中程度の触媒を用いて、合成ガスに対してフィッシャー−トロプシュ合成を実施し、改質可能な軽質流、芳香族化合物流、及びオレフィン及びアルコールを含む軽質流を得るステップ、
ｂ）鎖成長確率が高い触媒を用いて、合成ガスに対してフィッシャー−トロプシュ合成を実施し、高パラフィンＣ２０＋流を得るステップ、
ｃ）前記Ｃ２０＋流を水素化異性化条件に供して、高パラフィン潤滑油基礎原料を生成させるステップ、
ｄ）前記芳香族流を、オレフィン及びアルコールを含む前記軽質流でアルキル化して、沸点が潤滑油基油範囲のアルキル芳香族化合物を生成させるステップ、
ｅ）前記の改質可能な軽質流を、接触改質条件の下で改質して、アルキル化のための追加の芳香族化合物を生成させるステップ、
ｆ）任意選択的に、沸点が潤滑油基油範囲の前記アルキル芳香族化合物の一部分を、接触水素化条件の下で水素化して、沸点が潤滑油基油範囲のアルキルシクロパラフィンを生成させるステップ、
ｇ）沸点が潤滑油基油範囲の前記アルキル芳香族化合物、任意選択的な、沸点が潤滑油基油範囲の前記アルキルシクロパラフィン、及び前記高パラフィン潤滑油基礎原料をブレンドして、ブレンド潤滑油基油を生成させるステップ、及び
ｈ）ブレンド潤滑油基油を分けるステップ
を含む、ブレンド潤滑油基油を調製するための方法。
【請求項２６】
前記改質可能な軽質留分を、改質の前に、触媒的水素化精製条件の下で水素化精製するステップを更に含む、請求項２３又は２５に記載の方法。
【手続補正２】
【補正対象書類名】明細書
【補正対象項目名】００１５
【補正方法】変更
【補正の内容】
【００１５】
沸点が潤滑油基油範囲のアルキル芳香族化合物及びアルキルシクロパラフィンを用いて、アルキル芳香族化合物、アルキルシクロパラフィン、又はこれらの混合物を含む基礎原料を得ることができる。アルキル芳香族化合物及びアルキルシクロパラフィン、又はこれらの混合物を含む基礎原料は、２ｃＳｔを超える粘度をもつ。この基礎原料中のアルキル芳香族化合物及び／又はアルキルシクロパラフィンの含量は、少なくとも１０重量％、好ましくは５０重量％より大きく、より好ましくは７５重量％より大きく、最も好ましくは本質的に１００重量％である。
【手続補正３】
【補正対象書類名】明細書
【補正対象項目名】００１６
【補正方法】変更
【補正の内容】
【００１６】
アルキル芳香族化合物、アルキルシクロパラフィン、又はこれらの混合物を含む基礎原料は、高パラフィン・フィッシャー−トロプシュ潤滑油基礎原料にブレンドすることができる。アルキル芳香族化合物及びアルキルシクロパラフィンを高パラフィン・フィッシャー−トロプシュ潤滑油基礎原料に加えると、フィッシャー−トロプシュ設備による潤滑油基油の全収量が増すので、フィッシャー−トロプシュ設備により潤滑油基油を製造する、より効率的で経済的な方法が提供される。
【手続補正４】
【補正対象書類名】明細書
【補正対象項目名】００２８
【補正方法】変更
【補正の内容】
【００２８】
用語「アルキル芳香族化合物及び／又はアルキルシクロパラフィンを含む基礎原料」は、これらの化合物を含み、２ｃＳｔより大きい粘度をもつ基礎原料を意味する。この基礎原料中のアルキル芳香族化合物及び／又はアルキルシクロパラフィンの含量は、少なくとも１０重量％、好ましくは５０重量％より大きく、より好ましくは７５重量％より大きく、最も好ましくは本質的に１００重量％である。
【手続補正５】
【補正対象書類名】明細書
【補正対象項目名】００６３
【補正方法】変更
【補正の内容】
【００６３】
本明細書に記載される方法により、最も軽質の潤滑油基礎原料留分（すなわち、潤滑油基油範囲内の引火点をもつ最も軽質の留分）より容易に沸騰する生成物も得られる。これらのより軽質の生成物は、沸点が潤滑油基油範囲の、アルキル芳香族化合物及びアルキルシクロパラフィンに転化することができ、これらのアルキル芳香族化合物及びアルキルシクロパラフィンを用いて、アルキル芳香族化合物、アルキルシクロパラフィン、又はこれらの混合物を含む潤滑油基礎原料を得ることができる。例えば、一側面において、本発明は、（ｉ）フィッシャー−トロプシュ由来潤滑油基礎原料と、（ｉｉ）アルキル芳香族化合物、アルキルシクロパラフィン、又はこれらの混合物を含む潤滑油基礎原料とを含むブレンド潤滑油基油を製造するための方法を提供する。このブレンド潤滑油基油により、フィッシャー−トロプシュ設備による潤滑油基油の全収量が増すばかりでなく、物理的性質、例えば添加剤の溶解性が、中程度に改善された潤滑油基油が得られる。
【手続補正６】
【補正対象書類名】明細書
【補正対象項目名】００９０
【補正方法】変更
【補正の内容】
【００９０】
本発明のブレンド潤滑油基油は一般に、少なくとも１種の高パラフィン潤滑油基礎原料と、アルキル芳香族化合物、アルキルシクロパラフィン、及びこれらの混合物を含む潤滑油基礎原料の少なくとも１種を含む。高パラフィン潤滑油基礎原料は一般に、約５未満、好ましくは約４未満、最も好ましくは約３未満の分岐指数をもつであろう。
【手続補正７】
【補正対象書類名】明細書
【補正対象項目名】００９８
【補正方法】変更
【補正の内容】
【００９８】
例えば、許容できる添加剤溶解性を有する仕上がり潤滑油は、一般に濁度が２ＮＴＵ未満のものである。（ｉ）少なくとも１種の高パラフィン・フィッシャー−トロプシュ由来潤滑油基礎原料、（ｉｉ）アルキル芳香族化合物、アルキルシクロパラフィン、又はこれらの混合物を含む、少なくとも１種の潤滑油基礎原料、及び（ｉｉｉ）１種又は複数の潤滑油基油添加剤を含む潤滑油は、仕上がり潤滑油の濁度を２ＮＴＵ未満とするために「合成エステル共溶剤の有効量」を必要とする。「合成エステル共溶剤の有効量」は、潤滑油の濁度を２ＮＴＵ未満に下げるのに必要な、エステル共溶剤の量である。「合成エステル共溶剤の有効量」は、潤滑油が、アルキル芳香族化合物、アルキルシクロパラフィン、又はこれらの混合物を含む、少なくとも１種の潤滑油基礎原料を含んでいない場合にその濁度を２ＮＴＵ未満に低下させるのに必要とされるエステル共溶剤の量より少ない量である。「合成エステル共溶剤の有効量」は、潤滑油基油添加剤と高パラフィン・フィッシャー−トロプシュ由来潤滑油基礎原料だけを含む潤滑油の濁度を２ＮＴＵ未満に低下させるのに必要とされるエステル共溶剤の量より少ない量である。したがって、添加剤溶解性が中程度向上すると、許容できる添加剤溶解性をもつ仕上がり潤滑油を配合するためにフィッシャー−トロプシュ潤滑油基油に添加される高価な合成エステルの量は減る。必要な合成エステルの量が減れば、フィッシャー−トロプシュ潤滑油基礎原料を用いて配合される潤滑油のコストもまた低下する。